(57)【特許請求の範囲】
【請求項１】
一対の平行なサイド材(2) 間に複数のケーブル受材(3) が所定間隔で直角に配設されたケーブルトレイまたはケーブルラックから、それに敷設されたケーブルを剥離する装置であって、
本体(11)と、その本体(11)を前記ケーブル受材(3) の下方から各サイド材(2) にそれぞれ掛合する一対の掛合部(12)と、
その該本体(11)に昇降可能に取り付けられたリフト体(13)と、該リフト体(13)を本体(11)から昇降させる昇降手段(14)とを備え、
隣接するケーブル受材(3) 間に配置されて、昇降手段(14)によりリフト体(13)を本体(11)から上昇させることによって、そのリフト体(13)の上面がケーブル受材(3) の下方より上昇し、ケーブルに当接しそれをケーブル受材(3) から上方に持ち上げて剥離するように構成されていることを特徴とする敷設ケーブルの剥離装置。
【請求項２】
昇降手段１４は、長手方向に左ねじ部２３と右ねじ部２４が形成されると共に、両端部が本体１１に軸支されたねじ棒２２と、該ねじ棒２２を回転させる回転手段２６と、該ねじ棒２２の左ねじ部２３と右ねじ部２４にそれぞれ螺合される長ナット２７，２８と、それら長ナット２７，２８に連結されるリンク機構２９を備え、ねじ棒２２の回転により各長ナット２７，２８の間隔が変化し、それらに連結されたリンク機構２９を介してリフト体１３が昇降するようになされている請求項１に記載の敷設ケーブルの剥離装置。
【請求項３】
各サイド材２が縦板２ａと上下の水平板２ｂ，２ｃにより断面コ字型に形成され、本体１１に設けられた一対の掛合部１２が前記サイド材２に外側から掛合できるような形状とされ、少なくとも一方の掛合部１２がサイド材２に掛合した状態で本体１１に着脱可能とされている請求項１または請求項２に記載の敷設ケーブルの剥離装置。
【請求項４】
一対の平行なサイド材(2) 間に複数のケーブル受材(3) を所定間隔で直角に連結してなるケーブルトレイまたはケーブルラックに敷設されたケーブルを剥離する方法であって、請求項１〜請求項３のいずれかに記載された剥離装置(10)を用意し、  隣接するケーブル受材(3) 間に位置して、該剥離装置(10)の本体(11)をその一対の掛合部(12)を利用して各サイド材(2) に下方からそれぞれ掛合させ、
昇降手段(14)によりリフト体(13)を本体(11)から上昇させることによって、前記リフト体(13)の上面をケーブル受材(3) の下方から上昇して、ケーブルに当接しそれをケーブル受材(3) から上方に持ち上げて剥離することを特徴とする敷設ケーブルの剥離方法。
【発明の詳細な説明】
【０００１】
【発明の属する技術分野】
本発明は発電所や変電所等に設けられるケーブルトレイまたはケーブルラックに敷設されたケーブルを撤去または交換するために、該ケーブルをケーブルトレイ等から剥離する装置およびそれを用いた剥離方法に関するものである。
【０００２】
【従来の技術】
発電所や変電所等においては多数の（電気）ケーブルを敷設するために、例えば図５および図６のように、一対の平行なサイド材２間に複数のケーブル受材３が所定間隔で直角に配設された構造のケーブルトレイまたはケーブルラック１（以下、単にケーブルトレイ１という）が使用される。そしてケーブルトレイ１は、建物や架構等の支持母体５に取り付けられた複数のケーブルトレイサポート４により所定間隔毎に支持される。
比較的古い設備等におけるケーブルトレイ１内には、図６の如く非難燃性ケーブル６ａが敷設され、その外周に延焼防止剤７がれ層をなして塗布される。そしてその延焼防止剤７上に、新たな難燃性ケーブル６が敷設されている。この新たな難燃性ケーブル６は古い非難燃性ケーブル６ａの敷設後に、設備の増設や新設或いは改造等によって順次増加されている。勿論、この難燃性ケーブル６には延焼防止剤７が塗布されることはない。そして永年経過した非難燃性ケーブル６ａは、それ自体使用されなくなる傾向にある。このような場合、非難燃性ケーブル６ａや延焼防止剤７をケーブルトレイ１から取り除いて、新たな難燃性ケーブル６を敷設する必要がしばしば起こる。
【０００３】
従来このようなケーブルトレイ１内の延焼防止剤７や非難燃性ケーブル６ａを取り除く場合には、例えば取り除こうとする延焼防止剤７の上部と難燃性ケーブル６との間にパイプを挿入し、その両端部を紐などにより吊り上げて何らかの部材に支持させておき、このようなパイプを難燃性ケーブル６の長手方向に所定間隔毎に離間して配置し、その状態で延焼防止剤７の剥離を行うと共に非難燃性ケーブル６ａをケーブルトレイ１内から取り除く。そしてケーブルトレイ１内部を清掃した後に、吊り上げられていた難燃性ケーブル６をケーブルトレイ１内に収納していた。
【０００４】
しかし、このようにケーブルトレイ１内の延焼防止剤７や非難燃性ケーブル６ａを取り除く作業を行う際には、ケーブルトレイ１上で難燃性ケーブル６を持ち上げるための大きな力を必要とするため、多くの労力と時間を要する。また、紐が切断した場合には危険である。そこで本出願人は、これらの問題を解決するために「敷設ケーブルの持ち上げ装置および持ち上げ方法」を発明し、先にそれを出願した（特願平８−５３８３４号）。
【０００５】
【発明が解決しようとする課題】
上記の先に出願された発明の装置を使用することにより、ケーブルトレイ１内の延焼防止剤７や非難燃性ケーブル６ａを取り除く作業を行う際に、それらの上部に存在する難燃性ケーブル６を容易に且つ効率的に持ち上げることができる。
しかし、そのように難燃性ケーブル６を持ち上げた後に、延焼防止剤７や非難燃性ケーブル６ａを取り除く場合、それらがケーブルトレイ１におけるケーブル受材３に強く固着していることが多く、その剥離が困難であるという問題が残っていた。
そこでこのような課題を解決するために、本発明は次の構成をとる。
【０００６】
【課題を解決するための手段】
請求項１に記載の本発明は、一対の平行なサイド材(2) 間に複数のケーブル受材(3) が所定間隔で直角に配設されたケーブルトレイまたはケーブルラックから、それに敷設されたケーブルを剥離する装置であって、
本体(11)と、その本体(11)を前記ケーブル受材(3) の下方から各サイド材(2) にそれぞれ掛合する一対の掛合部(12)と、
その該本体(11)に昇降可能に取り付けられたリフト体(13)と、該リフト体(13)を本体(11)から昇降させる昇降手段(14)とを備え、
隣接するケーブル受材(3) 間に配置されて、昇降手段(14)によりリフト体(13)を本体(11)から上昇させることによって、そのリフト体(13)の上面がケーブル受材(3) の下方より上昇し、ケーブルに当接しそれをケーブル受材(3) から上方に持ち上げて剥離するように構成されていることを特徴とする敷設ケーブルの剥離装置である。
請求項２に記載の本発明は、請求項１に記載の発明の実施の形態であって、昇降手段(14)は、長手方向に左ねじ部(23)と右ねじ部(24)が形成されると共に、両端部が本体(11)に軸支されたねじ棒(22)と、該ねじ棒(22)を回転させる回転手段(26)と、該ねじ棒(22)の左ねじ部(23)と右ねじ部(24)にそれぞれ螺合される長ナット(27)，(28)と、それら長ナット(27)，(28)に連結されるリンク機構(29)を備え、ねじ棒(22)の回転により各長ナット(27)，(28)の間隔が変化し、それらに連結されたリンク機構(29)を介してリフト体(13)が昇降するようになされていることを特徴とする敷設ケーブルの剥離装置である。
【０００７】
請求項３に記載の本発明は、上記発明の好ましい実施の形態であって、各サイド材(2) が縦板(2a)と上下の水平板(2b)，(2ｃ) により断面コ字型に形成され、本体(11)に設けられた一対の掛合部(12)が前記サイド材(2) に外側から掛合できるような形状とされ、少なくとも一方の掛合部(12)がサイド材(2) に掛合した状態で本体(11)に着脱可能とされていることを特徴とする敷設ケーブルの剥離装置である。
請求項４に記載の本発明は、一対の平行なサイド材(2) 間に複数のケーブル受材(3) を所定間隔で直角に連結してなるケーブルトレイまたはケーブルラックに敷設されたケーブルを剥離する方法であって、請求項１〜請求項３のいずれかに記載された剥離装置(10)を用意し、隣接するケーブル受材(3) 間に位置して、該剥離装置(10)の本体(11)をその一対の掛合部(12)を利用して各サイド材(2) に下方からそれぞれ掛合させ、
昇降手段(14)によりリフト体(13)を本体(11)から上昇させることによって、前記リフト体(13)の上面をケーブル受材(3) の下方から上昇して、ケーブルに当接しそれをケーブル受材(3) から上方に持ち上げて剥離することを特徴とする敷設ケーブルの剥離方法である。
【０００８】
【発明の実施の形態】
次に、図面により本発明の実施の形態を説明する。
図１は本発明の剥離装置の１例を示す分解斜視図である。剥離装置１０は本体１１と、本体１１をケーブル受材３の下方から各サイド材２にそれぞれ掛合する一対の掛合部１２と、本体１１に昇降可能に取り付けられたリフト体１３と、リフト体１３を本体１１から昇降させる昇降手段１４を備えている。
本体１１は断面が方形の細長い筒状に形成され、その上板における長手方向に細長い一対のスリット１５が設けられると共に、上板の両端部に連結片１６，１７が設けられている。そして後述するサイド材２に外側から掛合できるように、断面をコ字型とされた掛合部１２が一方の連結片１６に溶接等により連結され、他方の連結片１７にも同様の形状の掛合部１２が２つのボルト１８とナット１９により着脱可能に連結されている。なお、他方の連結片１７とそれに連結される掛合部１２には、２つのボルト１８を挿通する２つのボルト孔２０，２１がそれぞれ対応する位置に設けられている。
【０００９】
図１において、筒状の本体１１内には長手方向中間部Ａの左側に左ねじ部２３，右側に右ねじ部２４をそれぞれ形成したねじ棒２２が配置され、そのねじ棒２２は本体１１の両端部に設けた軸受２５によって軸支持されている。そしてねじ棒２２は左側の軸受２５からさらに延長され、その延長端部に操作ハンドルなどの回転手段２６が連結されている。なお回転手段２６は、電動機等の駆動源により駆動するようにしてもよい。
左ねじ部２３に左ねじを形成した長ナット２７、右ねじ部２４に右ねじを形成した長ナット２８がそれぞれ螺合され、図２に示すように、各長ナット２７，２８の上部にはそれぞれ連結孔を有する連結部２７ａ，２８ａが設けられる。
長ナット２７，２８の連結部２７ａ，２８ａは前記スリット１５から上方に突出され、２つの細長い連結板を有するリンク機構２９の一端に連結ピンで回動自在に連結され、リンク機構２９の他端が台状に形成されたリフト体１３の左右２箇所に連結ピンで回動自在に連結される。そしてこれらねじ棒２２、回転手段２６、長ナット２７，２８およびリンク機構２９により、昇降手段１４が構成される。
【００１０】
次に、上記剥離装置１０を使用してケーブルトレイに敷設された非難燃性ケーブルおよび延焼防止剤を剥離する方法について、図３および図４を参照しながら説明する。
なお、図３は剥離装置１０の一対の掛合部１２をケーブルトレイにおける一対のサイド材２にそれぞれ掛合した状態をケーブルトレイの長手方向からみた部分断面図であり、図４は図３のIV−IV断面図である。
そしてこの例におけるサイド材２は、縦板２ａと上下の水平板２ｂ，２ｃにより断面がコ字型に形成されたものである。
【００１１】
先ず、本体１１の一対の掛合部１２をケーブルトレイのサイド材２に掛合する。即ち、図３における左側の掛合部１２を一点鎖線のように連結片１７から分離した状態で、本体１１をサイド材２より下方に位置させ、右側の掛合部１２を右側のサイド材２に外側から掛合する。次に、左側の掛合部１２を左側のサイド材２に外側から掛合すると共に、ボルト１８とナット１９（図１参照）により連結片１７に連結する。これにより、本体１１が左右のサイド材２に下方より２箇所で安定に掛合される。
同様にして他の剥離装置１０を、剥離すべき非難燃性ケーブル等が敷設されたケーブルトレイのサイド材の長手方向に所定間隔で必要数掛合する。
次に回転手段２６を図１のように右回転すると、左側の長ナット２７が矢印のように右方向に移動し、右側の長ナット２８が矢印のように左方向に移動するので、リンク機構２９の２つの細長い連結板の挟角が小さくなってリフト体１３が上昇する。
【００１２】
リフト体１３が上昇すると、ケーブル受材３の上面に貼り付くように固着した延焼防止剤７と共に非難燃性ケーブル６ａが剥離されて上昇する。
これらの操作を各剥離装置１０について同様に行うことにより、所定長の非難燃性ケーブルおよび延焼防止剤を剥離することができる。そして剥離された非難燃性ケーブルと延焼防止剤は、容易にケーブルトレイから撤去することができる。
【００１３】
【発明の効果】
請求項１に記載の発明によれば、ケーブルトレイのケーブル受材に強く固着し貼り付いている延焼防止剤や非難燃性ケーブルをリフト操作により持ち上げることによって、効率よく迅速に剥離することができる。またこの剥離装置は、簡単な構造で且つ軽量に作ることができる。
次に、請求項２に記載の発明によれば、簡単な構造で昇降手段を構成することができる。
また請求項３に記載の発明によれば、本体に設けられた一対の掛合部をより容易に各サイド材２に掛合することができる。
【図面の簡単な説明】
【図１】本発明の剥離装置の１例を示す分解斜視図。
【図２】図１の長ナット２７，２８およびリンク機構２９部分の拡大斜視図。
【図３】剥離装置１０をケーブルトレイのサイド材２に掛合した状態をケーブルトレイの長手方向からみた部分断面図。
【図４】図３のIV−IV断面図。
【図５】ケーブルトレイまたはケーブルラックの１例を示す斜視図。
【図６】図５のケーブルトレイまたはケーブルラックにケーブル等を敷設した状態を示す縦断面図。
【符号の説明】
１  ケーブルトレイまたはケーブルラック
２  サイド材
２ａ  縦板
２ｂ  上側の水平板
２ｃ  下側の水平板
３  ケーブル受材
４  ケーブルトレイサポート
５  支持母体
６  難燃性ケーブル
６ａ  非難燃性ケーブル
７  延焼防止剤
１０  剥離装置
１１  本体
１２  掛合部
１３  リフト体
１４  昇降手段
１５  スリット
１６  連結片
１７  連結片
１８  ボルト
１９  ナット
２０  ボルト孔
２１  ボルト孔
２２  ねじ棒
２３  左ねじ部
２４  右ねじ部
２５  軸受
２６  回転手段
２７  長ナット
２７ａ  連結部
２８  長ナット
２８ａ  連結部
２９  リンク機構
【図１】
0003680190.tif 000002
【図２】
0003680190.tif 000003
【図３】
0003680190.tif 000004
【図４】
0003680190.tif 000005
【図５】
0003680190.tif 000006
【図６】
0003680190.tif 000007